(57)【特許請求の範囲】
【請求項１】
鏡筒と、前記鏡筒内に収容されたレンズ群とを備え、前記鏡筒は、光通過孔を有する筒壁を含み、前記筒壁は、物体側に近い物体側の面と、像側に近い像側の面と、前記物体側の面と前記像側の面を接続する接続面とを含み、前記レンズ群は物体側に近い第１レンズを含み、前記第１レンズは物体側に近い上面を含み、前記上面は弧形部及び前記弧形部の周囲に配置された周辺部を含むレンズモジュールであって、前記物体側の面は、平面と、前記平面から像側に近い方向へ斜めに前記接続面まで延在する傾斜面とを含み、前記接続面は、前記傾斜面との接続箇所から、光軸から離れた方向へ斜めに前記像側の面まで延在し、前記接続面と前記弧形部とは相対的に間隔をあけて設置されており、前記筒壁と前記第１レンズとの間に遮光部材が設けられており、前記遮光部材は、前記接続面及び前記弧形部と密着していることを特徴とするレンズモジュール。
【請求項２】
前記遮光部材は前記上面に設置された遮光層であり、前記遮光層は前記接続面と前記上面との間に位置し且つインクを塗布して浸透させることにより形成されることを特徴とする請求項１に記載のレンズモジュール。
【請求項３】
前記遮光層は黒色インク層であることを特徴とする請求項２に記載のレンズモジュール。
【請求項４】
前記遮光層は中空の環状構造であることを特徴とする請求項２に記載のレンズモジュール。
【請求項５】
前記接続面と前記上面はいずれも消光処理された表面であり、且つ前記接続面と前記上面のうちの少なくとも１つにインクを塗布するための案内切欠きが設けられていることを特徴とする請求項２に記載のレンズモジュール。
【請求項６】
光軸を含む断面において、前記傾斜面と光軸は第１夾角θ１を形成し、前記第１夾角は３０°≦θ１≦９０°という関係を満たすことを特徴とする請求項１乃至５のいずれか一項に記載のレンズモジュール。
【請求項７】
光軸を含む断面において、前記接続面と光軸は第２夾角θ２を形成し、前記第２夾角は０°≦θ２≦６０°という関係を満たすことを特徴とする請求項６に記載のレンズモジュール。
【請求項８】
前記像側の面は平面であることを特徴とする請求項６に記載のレンズモジュール。
【請求項９】
前記像側の面は前記上面に当接することを特徴とする請求項８に記載のレンズモジュール。
【請求項１０】
前記レンズモジュールは前記第１レンズの像側に配置された少なくとも１つの第２レンズをさらに含むことを特徴とする請求項１に記載のレンズモジュール。
【発明の詳細な説明】
【技術分野】
【０００１】
本発明は、光学の技術分野に関し、特にレンズモジュールに関する。
【背景技術】
【０００２】
光学結像技術が日々成熟するにつれて、例えば、カメラ、ビデオカメラ、望遠鏡等の種々の結像製品も多くの家に普及している。携帯型の電子機器、例えばタブレットＰＣ、携帯電話等にもレンズモジュールが搭載されている。レンズモジュールの設計は常にこのような製品の結像品質の鍵であるが、現在、レンズモジュールは、鏡筒の光通過孔の構造が不合理に設計されるため、鏡筒が広視野の角度の光線を規制し、レンズの成形に影響を与え、超広角レンズに適用できなくなってしまう。
【０００３】
従って、超広角レンズに適用できる光通過孔の構造を形成するように、新たなレンズモジュールを提供する必要がある。
【発明の概要】
【発明が解決しようとする課題】
【０００４】
本発明は、迷光を低減させることができると共に、広視野の光線を遮光せず、成形が容易になるレンズモジュールを提供することを目的とする。
【課題を解決するための手段】
【０００５】
本発明の技術考案は下記の通りである。
【０００６】
本発明には、レンズモジュールが提供され、当該レンズモジュールは、鏡筒と、前記鏡筒内に収容されたレンズ群とを備え、前記鏡筒は、光通過孔を有する筒壁を含み、前記筒壁は、物体側に近い物体側の面と、像側に近い像側の面と、前記物体側の面と前記像側の面を接続する接続面とを含み、前記レンズ群は物体側に近い第１レンズを含み、前記第１レンズは物体側に近い上面を含み、前記上面は弧形部及び前記弧形部の周囲に配置された周辺部を含み、前記物体側の面は、平面と、前記平面から像側に近い方向へ斜めに前記接続面まで延在する傾斜面とを含み、前記接続面は、前記傾斜面との接続箇所から、光軸から離れた方向へ斜めに前記像側の面で延在し、前記接続面と前記弧形部とは相対的に間隔をあけて設置されており、前記筒壁と前記第１レンズとの間に遮光部材が設けられている。
【０００７】
１つの改良形態として、前記遮光部材は前記上面に設置された遮光層であり、前記遮光層は前記接続面と前記上面との間に位置し且つインクを塗布して浸透させることにより形成される。
【０００８】
１つの改良形態として、前記遮光層は黒色インク層である。
【０００９】
１つの改良形態として、前記遮光層は中空の環状構造である。
【００１０】
１つの改良形態として、前記接続面と前記上面はいずれも消光処理された表面であり、且つ前記接続面と前記上面のうちの少なくとも１つにインクを塗布するための案内切欠きが設けられている。
【００１１】
１つの改良形態として、光軸を含む断面において、前記傾斜面と光軸は第１夾角θ１を形成し、前記第１夾角は３０°≦θ１≦９０°という関係を満たす。
【００１２】
１つの改良形態として、光軸を含む断面において、前記接続面と光軸は第２夾角θ２を形成し、前記第２夾角は０°≦θ２≦６０°という関係を満たす。
【００１３】
１つの改良形態として、前記像側の面は平面である。
【００１４】
１つの改良形態として、前記像側の面は前記上面に当接する。
【００１５】
１つの改良形態として、前記レンズモジュールは前記第１レンズの像側に配置された少なくとも１つの第２レンズをさらに含む。
【発明の効果】
【００１６】
本発明に提供された遮光構造は下記の有益な効果を奏し得る。
【００１７】
本発明には、レンズモジュールが提供され、当該レンズモジュールは、鏡筒と、鏡筒内に収容されたレンズ群とを備え、鏡筒は、光通過孔を有する筒壁を含み、筒壁は、物体側に近い物体側の面と、像側に近い像側の面と、物体側の面と像側の面を接続する接続面とを含み、レンズ群は物体側に近い第１レンズを含み、第１レンズは物体側に近い上面を含み、上面は弧形部及び弧形部の周囲に配置された周辺部を含み、物体側の面は、平面と、当該平面から像側に近い方向へ斜めに接続面まで延在する傾斜面とを含み、接続面は、傾斜面との接続箇所から、光軸から離れた方向へ斜めに像側の面まで延在し、接続面と弧形部とは相対的に間隔をあけて設置されており、筒壁と第１レンズとの間に遮光部材がさらに設けられている。傾斜面及び遮光シートを設置することで、超広角レンズに好適な光通過孔の構造を形成することに有利であり、迷光を低減させることができると共に、広視野の光線を遮光せず、成形が容易になる。
【図面の簡単な説明】
【００１８】
【図１】図１は、本発明に提供されたレンズモジュールの断面構成図である。
【図２】図２は、本発明に提供された鏡筒の断面構成図である。
【図３】図３は、本発明に提供されたレンズ群の断面構成図である。
【発明を実施するための形態】
【００１９】
以下、図面及び実施形態を組み合わせて本発明をさらに説明する。
【００２０】
本発明には、レンズモジュール１００が開示され、図１〜図３に示されるように、レンズモジュール１００は、鏡筒１と、鏡筒１内に収容されたレンズ群２とを備え、鏡筒１は、光通過孔１０を有する筒壁１１を含み、筒壁１１は、物体側１ａに近い物体側の面１１１と、像側１ｂに近い像側の面１１２と、物体側の面１１１と像側の面１１２を接続する接続面１１３とを含み、レンズ群２は物体側１ａに近い第１レンズ２１を含み、第１レンズ２１は物体側１ａに近い上面２１１を含み、上面２１１は弧形部２１１ａ及び弧形部２１１ａの周囲に配置された周辺部２１１ｂを含み、物体側の面１１１は、平面１１１ａと傾斜面１１１ｂとを含み、傾斜面１１１ｂは、外から内に向かって像側１ｂに近い方向へ斜めに接続面１１３まで延在し、接続面１１３は、傾斜面１１１ｂとの接続箇所から、光軸Ｏから離れた方向へ斜めに像側の面１１２まで延在し、接続面１１３と弧形部２１１ａとは相対的に間隔をあけて設置されており、筒壁１１と第１レンズ２１との間に遮光部材が設けられている。
【００２１】
このように設置することにより、光線が筒壁１１と第１レンズ２１との接触箇所に反射されると、遮光部材は光吸収の機能を果たし、当該光線のレンズ群２における継続的な伝播を防止し、レンズ群２に生じた迷光を低減させ、即ち、レンズモジュール１００に生じた迷光を低減させる。従来技術に対して、本発明の実施形態に提供されたレンズモジュール１００は、鏡筒１に入射した光が反射して第１レンズ２１に戻って迷光を形成することを防止できる。このように、迷光を低減させることができると共に、広視野の光線を遮光せず、レンズモジュール１００は成形が容易になる。
【００２２】
さらに、遮光部材は、接続面１１３と上面２１１との間に設置され且つインクを塗布して浸透させることにより形成される遮光層３である。周知のように、遮光層３はインクを塗布して浸透させることにより形成され、インクの色はその異なる光吸収特性によって選択することができる。本実施例では、遮光層３は黒色インク層とされることが好ましい。黒色インク層は他の色よりも優れた光吸収能力を有する。一方、黒色インク層の主成分が炭素であるため、強い付着力を有し、これから分かるように、黒色インク層と、接続面１１３及び上面２１１との粘着性がより高くなる。黒いインクが浸透して凝固した後に黒色インク層を形成する。黒色インク層を形成する過程において、黒いインクが備えるブラウン運動という物理現象により、黒いインクを拡散させて接続面１１２と上面２１１との間に流入させることにより、黒色インク層を形成する。
【００２３】
１つの改良形態として、当該遮光層３は中空の環状構造である。１つの改良形態として、接続面１１３と上面２１１はいずれも消光処理された表面であり、消光処理により接続面１１３と上面２１１との消光効果を向上させることができる。１つの実施例では、消光処理は接続面１１３と上面２１１の粗さを増加させることにより実現できる。黒いインクが分子拡散により接続面１１３と上面２１１との間に流れ込む場合、接続面１１３と上面２１１との間に垂れたインクが他の部位に流入してしまうことを回避するために、接続面１１３と上面２１１のうちの少なくとも１つにインクを塗布するための案内切欠き（図示せず）が設けられている。
【００２４】
１つの実施例では、図２を参照すると、光軸Ｏを含む断面において、傾斜面１１１ｂと光軸Ｏは第１夾角θ１を形成し、第１夾角は３０°≦θ１≦９０°という関係を満たす。
【００２５】
１つの実施例では、引き続き図２を参照すると、光軸Ｏを含む断面において、接続面１１３と光軸Ｏは第２夾角θ２を形成し、第２夾角は０°≦θ２≦６０°という関係を満たす。
【００２６】
本実施形態では、θ１とθ２の大きさを調整することで、成形が容易なレンズモジュール１００を設置すると共に、迷光を低減させ且つ広視野の光線を遮光しないという要求を満たすことができる。
【００２７】
一つの実施例では、像側の面１１２は平面であり、像側の面１１２は上面２１１に当接する。また、図１及び図２から見られるように、像側の面１１２は上面２１１の周辺部２１１ｂと隙間なく貼り合わせている。
【００２８】
一つの実施例では、図３を参照すると、レンズモジュール１００は第１レンズ２１の像側１ｂに配置された少なくとも１つの第２レンズ２２をさらに含み、具体的に、レンズ２２１、レンズ２２２、レンズ２２３及びレンズ２２４を含むことができる。
【００２９】
説明しておきたいことであるが、「第１」、「第２」という用語は目的を説明することに用いられるだけであり、相対的な重要性を明示又は示唆すること、又は示された技術的特徴の数を非明示的に示すこととして理解してはならない。従って、「第１」、「第２」が限定された特徴は１つ又は複数の当該特徴を明示的又は非明示的に含むことができる。本明細書の実施例における「含む」及び「有する」という用語及びそれらの任意の変形も非排他的に含まれることを意図している。
【００３０】
以上は本発明の実施形態に過ぎない。当業者であれば、本発明の創造的構想から逸脱しない限り、改良を行うことができるが、これらの改良はいずれも本発明の保護範囲に含まれるとここで指摘すべきである。
【図１】
0006889794.tif 000002
【図２】
0006889794.tif 000003
【図３】
0006889794.tif 000004